(57)【要約】【課題】床面の発光状態を保ちつつ、その発光を利用して、床面（発光面）上で視作業する際のモノの視認性を上げることができる床面発光システムを提供する。【解決手段】床面２０２と、前記床面に臨む面と、前記床面に設けられた面状光源として面状発光装置２００と、前記床面に臨む面に設けられ、前記面状発光装置２００からの光を床面に向けて反射する配光制御部材１００とを具備し、この配光制御部材によって、面状光源からの光を床面に向けて反射できるので、床面上で視作業する際のモノの視認性を上げる。また、別体の照明を設けなくとも反射光により作業面を照明することができるので、簡便であり、空間が煩雑にならない。また、面状光源からの光のみを有効活用できるので電気エネルギーアップにならずにすみ、省エネルギー化をはかることができる。【選択図】図２
2010073397.tif 000002
【特許請求の範囲】
【請求項１】
床面と、
前記床面に臨む面と、
前記床面に設けられた面状光源と、
前記床面に臨む面に設けられ、前記面状光源からの光を床面に向けて反射する配光制御部材とを具備した床面発光システム。
【請求項２】
請求項１に記載の床面発光システムであって、
前記床面に臨む面は、壁面と天井面であり、
前記壁面又は天井面の少なくとも一方の面には、前記面状光源からの光を床面に向けて反射する配光制御部材が設けられた床面発光システム。
【請求項３】
請求項１に記載の床面発光システムであって、
前記配光制御部材の反射面は、浮遊部材で構成され、着脱自在である床面発光システム。
【請求項４】
請求項２に記載の床面発光システムであって、
前記配光制御部材は、反射面を備えた天井面と、前記面状光源を前記天井面に対して昇降制御する昇降部とを具備した床面発光システム。
【発明の詳細な説明】
【技術分野】
【０００１】
本発明は、床面発光システムに関する。
【背景技術】
【０００２】
近年、住宅のリビングダイニングにおいては、その使われ方が多様化しており、同時に複数人が異なる使い方をすることも珍しくはない。
例えば、ダイニングで食事をしている一方、リビングの一画ではくつろいでいる人がいるような空間においては、開放空間の中で人の存在を感じながらも、プライベート感のあるスペースも確保したいというニーズがあり、モノスペースの中で開放感とプライベート感を同時実現する手法が模索されるようになった。
【０００３】
このような中で、物理的な間仕切りを用いずに、光を使ってゾーンを区切ることで、開放スペースでありながらも心理的にはゆるやかに区切られた、ちょっとしたプライベート感を醸成するようなゾーニングという手法が提案されている。例えば、ダイニングとリビングの一画を光でゾーニングする方法が考えられる。
【０００４】
ここで用いられる光源としては、複数の平面発光ユニットを連結することにより大型の平面照明装置が提案されている（特許文献１）。
【０００５】
いずれにしても、この場合、リビングの一画の床面を発光させているが、単純に上方に光を照射するだけでは、発光面内の物体（モノ）がシルエットでしか見えず、そのゾーンで視作業をする際には不都合であるという問題があった。
【０００６】
【特許文献１】特開平１１−１４２６５２号公報
【発明の開示】
【発明が解決しようとする課題】
【０００７】
このように、床面と床面に設けられる面状発光装置とを有する床面発光システムにおいては、発光中に床面上で視作業する際に、モノがシルエットでしか見えず不都合であった。
また、モノの視認性を向上させるためには、別体の照明を設置する方法も考えられるが、設置に手間がかかるだけでなく、空間の状態が煩雑になる。また、別体の照明に電気エネルギーが必要となるため、省エネルギーにならない。
本発明は、前記実情に鑑みてなされたもので、床面の発光状態を保ちつつ、その発光を利用して、床面（発光面）上で視作業する際のモノの視認性を上げることができる床面発光システムを提供することを目的とする。
【課題を解決するための手段】
【０００８】
そこで本発明では、床面と、前記床面に臨む面と、前記床面に設けられた面状光源と、前記床面に臨む面に設けられ、前記面状光源からの光を床面に向けて反射する配光制御部材とを具備したことを特徴とする。
この構成によれば、配光制御部材によって、面状光源からの光を床面に向けて反射できるので、床面上で視作業する際のモノの視認性を上げることができる。なおここで床面に臨む面とは、天井面、壁面など床面を直視できる面をいうものとする。
また、別体の照明を設けなくとも反射光により作業面を照明することができるので、簡便であり、空間が煩雑にならない。また、面状光源からの光のみを有効活用できるので電気エネルギーアップにならずにすみ、省エネルギー化をはかることができる。
【０００９】
また、本発明では、上記床面発光システムにおいて、前記床面に臨む面は、壁面と天井面であり、前記壁面又は天井面の少なくとも一方の面には、前記面状光源からの光を床面に向けて反射する配光制御部材が設けられたものを含む。
この構成によれば、室空間を形成する壁面又は天井面の少なくとも一方の面に配光制御部材を設けるだけで作業面を照明することができるので、簡便であり、空間が煩雑にならない。また、面状光源からの光のみを有効活用できるので電気エネルギーアップにならずにすむ。
【００１０】
また、本発明では、上記床面発光システムにおいて、前記配光制御部材（壁面の一部）が床面方向に展開し、面状光源（床面）からの光を床面に向けて反射することによって、作業面を照射するようにしたものを含む。
【発明の効果】
【００１１】
以上のように、本発明によれば、配光制御部材によって、面状光源からの光を床面に向けて反射できるので、床面上で視作業する際のモノの視認性を上げることができる。
また、別体の照明を設けなくとも反射光により作業面を照明することができるので、簡便であり、空間が煩雑にならない。また、面状光源からの光のみを有効活用できるので電気エネルギーアップにならずにすみ、省エネルギー化をはかることができる。
【発明を実施するための最良の形態】
【００１２】
以下、本発明の実施の形態に係る床面発光システムについて、図面を参照しつつ詳細に説明する。
【００１３】
（実施の形態１）
図１乃至３は本発明の実施の形態に係る床面発光システムの説明図である。図１は、床面発光システムの配光制御部材１００を床面に臨む面としての壁面１Ｗに収納した状態を示す斜視図、図２は同床面発光システムの配光制御部材１００を展開した状態を示す斜視図、図３は、同側面図である。
本発明の床面発光システムは、配光制御部材１００が壁面の一部を構成するように埋め込み形成されており、配光制御部材１００の反射面１００Ｓが床面方向に展開し、面状光源としての面状発光装置２００の発光面２０１からの光を床面２０２に向けて反射することによって、作業面３００Ｓである机３００の上面を照射するようにしたものである。
【００１４】
机３００の上の作業面３００Ｓに向けて光照射を行ないたい時は、図２および３に示すように配光制御部材１００を開き、反射面１００Ｓを所望の角度まで開き、図示しない止具で止めて固定する。これにより、面状発光装置２００からの光Ｌ０は配光制御部材の反射面１００Ｓによって全反射され、反射光Ｌ１が机３００の作業面３００Ｓを照射する。
机の位置に応じて、図示しないリモートコントローラを用いてこの配光制御部材１００の反射面１００Ｓの開き角を調整することで、反射光Ｌ１の方向を調整し、作業面３００Ｓに効率よく光照射がなされるように構成される。
【００１５】
すなわち本発明の床面発光システムは、配光制御部材１００が、床面２０２に対して垂直に起立された壁面１Ｗに収納可能な反射面を具備し、面状発光装置２００からの出射光に対する反射面のなす角が調整可能であるようにしている。ここでは、この配光制御部材１００は、床面２０２に平行となるように壁面１Ｗに配設された軸Ｏ１と、この軸Ｏ１に対して回動可能な反射面１００Ｓとを具備している。
【００１６】
上記構成によれば配光制御部材（壁面の一部）が床面方向に展開し、面状発光装置（床面）からの光を床面に向けて反射することによって、作業面を照射する。
このため、配光制御部材１００によって、面状発光装置２００からの光を床面２０２および机面に向けて反射できるので、床面２０２および机面上で視作業する際のモノの視認性を上げることができる。
また、別体の照明を設けなくとも反射光により作業面を照明することができるので、簡便であり、空間が煩雑にならない。また、面状発光装置からの光のみを有効活用できるので電気エネルギーアップにならずにすむ。
【００１７】
ここで面状発光装置２００に用いる光源としては、蛍光灯、有機ＥＬ、ＬＥＤ等を用いることができ、特に制限されるものではないが、面状発光装置を薄く形成でき、光色の可変性に優れる有機ＥＬやＬＥＤが好ましい。
【００１８】
例えば、有機ＥＬパネルの場合、有機発光層は、白色光を取り出せるように素子あるいは発光層が積層されていてもよいし、それぞれ赤色光、緑色光、青色光を発光する素子をまとめて調色できるようになっていてもよい。なお、有機発光層の発光色は一例であって、かかる発光色に限定されるものではない。
【００１９】
また、ＬＥＤパネルの場合、多数のＬＥＤ光源が配列されている。各ＬＥＤ光源は、それぞれ赤色光、緑色光、青色光を発光するＬＥＤ素子をまとめて１つの光源としてもよいし、各発光色で分けられていてもよい。なお、ＬＥＤ素子の発光色は一例であって、かかる発光色に限定されるものではない。なお、各ＬＥＤ素子に流す電流比率を制御することによって、光線の色成分を変化させることが可能である。
【００２０】
ＥＬパネルやＬＥＤパネルは、それらのサイズに応じて、任意の数を面状発光装置２００内に配置することができる。
上記のような光源の周縁に筐体や光透過パネルを配設し面状発光装置２００を形成する。筐体には壁、床等の電気配線と接続するための電気接点が設けられている。また、光透過パネルは、光源の上方に配設され、光源を発光させたときに、面状発光装置２００の発光面２０１となる。
【００２１】
さらにまた、面状光源としては、点光源をライン状に配列して面状発光装置の端部に配置し、導光板によって、この点光源からの光を床面に導き、面状光源として用いるようにしたものも適用可能である。
【００２２】
ここで、面状発光装置の筐体を構成する素材としては、プラスチックやこれらにガラス繊維などの強化充填材を配合したもの、アルミニウム合金、鉄、マグネシウム合金のような金属、木材など特に限定されるものではないが、割れにくい素材であることが望ましい。
【００２３】
また、発光面２０１を構成する光透過パネルの構成素材としては、透光性プラスチックやガラスなどが挙げられるが、所望の光学特性が得られ、発光面２０１を所望の外観にできれば、特に限定されるものではない。また、消灯時に床板や絨毯等の外観が必要な場合は、本発明の目的を損なわない範囲で、光透過パネルの上に床板や絨毯の外観に似せた光透過性の素材を積層してもよいし、光透過パネルに擬似印刷したものを用いてもよい。
【００２４】
面状発光装置２００は床面２０２上に床の一部として配設されるが、配設位置は部屋の中央、壁際など特に限定されるものではない。また配置形態としても、固定されていてもよいし、移動可能な構造としてもよい。ここでは一例として、壁際に配設した例を示している。
【００２５】
次に配光制御部材１００について説明する。
ここに示す配光制御部材１００は、壁面に組み込んだものである。
作業面を明るくしたい場合に、配光制御部材を床面方向に展開し、面状発光装置からの光を床面に向けて反射する。この配光制御部材１００は回動軸を軸として、１８０度回動可能である。回動軸には、適度な制動機構が内蔵されており、回動範囲内であれば、任意の角度で保持することが可能である。よって光の反射方向を制御することができるので作業面の位置が変化しても対応可能である。また、配光制御部材の配設位置は、面状発光装置からの光を所望の方向に反射することができれば特に限定されるものではない。
【００２６】
また、配光制御部材１００の形状、サイズは、所望の光学特性が得られれば特に限定されるものではない。
さらに、配光制御部材の光反射面１００Ｓは、鏡面、光拡散面など所望の光学特性が得られれば特に限定されるものではない。
【００２７】
ここで、配光制御部材１００を構成する素材としては、プラスチックやこれらにガラス繊維などの強化充填材を配合したもの、アルミニウム合金、鉄、マグネシウム合金のような金属、木材、石膏ボードなどが適用可能であるが特に限定されるものではない。
【００２８】
（実施の形態２）
図４乃至６は本発明の実施の形態２に係る床面発光システムの説明図である。図４は、床面発光システムの配光制御部材１００を壁面に収納した状態を示す斜視図、図５は同床面発光システムの配光制御部材１００を展開した状態を示す斜視図、図６は、同側面図である。
本発明の床面発光システムは、配光制御部材が、同一直線上にある軸Ｏ１ａ、Ｏ１ｂに対し、それぞれ独立して回動可能な複数の反射面を具備したことを特徴とするものである。
【００２９】
すなわちこの床面発光システムは、図４に示すように、配光制御部材が２分割構造をなしていて第１の配光制御部材１００と第２の配光制御部材１００ａ、１００ｂともに壁面の一部を構成するように埋め込み形成されており、第１および第２の配光制御部材１００ａ、１００ｂともに開き角を独立制御可能である点が前記実施の形態１の床面発光システムと異なる部分である。第１および第２の配光制御部材１００ａ、１００ｂいずれも、面状発光装置２００の発光面２０１からの光Ｌ０を床面２０２に向けて反射光Ｌ１ａ、Ｌ１ｂとして反射することによって、作業面３００Ｓである机３００の上面を照射するようにしたものである。
【００３０】
第１および第２の机３００ａ、３００ｂの上の作業面３００ａＳ、３００ｂＳに向けて光照射を行ないたい時は、図５および６に示すように第１および第２配光制御部材１００ａ、１００ｂを開き、反射面１００ａＳ、１００ｂＳをそれぞれ所望の角度まで開き、図示しない止具で止めて固定する。これにより、面状発光装置２００からの光Ｌ０は第１および第２の配光制御部材１００ａ、１００ｂの反射面１００ａＳ、１００ｂＳによってそれぞれ全反射され、反射光Ｌａ１、Ｌｂ１が第１および第２の机３００ａ、３００ｂの上の作業面３００ａＳ、３００ｂＳを照射する。
机の位置に応じて、図示しないリモートコントローラを用いてこの配光制御部材の反射面１００ａＳ、１００ｂＳの開き角を調整することで、反射光Ｌａ１、Ｌｂ１の方向を調整し、作業面３００ａＳ、３００ｂＳに効率よく光照射がなされるように構成される。
【００３１】
上記構成によれば配光制御部材（壁面の一部）が床面方向に独立して展開し、面状発光装置（床面）からの光を床面に向けて反射することによって、作業面を照射する。
このため、配光制御部材１００ａ、１００ｂによって、面状発光装置２００からの光を机面および床面２０２に向けて反射できるので、机面および床面２０２上で視作業する際のモノの視認性を上げることができる。
【００３２】
作業面が複数箇所、離れた位置に存在する場合に、最適に配光できないという課題があったが、上記実施の形態では、壁面の複数箇所が床面方向に展開し、面状発光装置（床面）からの光を個々に任意の角度で反射することによって、複数の作業面に光照射されるように制御することができる。
従って、複数の配光制御部材によって、面状発光装置からの光を個々に任意の角度で反射できるので、複数の作業面に同時に、且つ最適に配光可能である。
【００３３】
（実施の形態３）
図７乃至９は本発明の実施の形態３に係る床面発光システムの説明図である。図７は、床面発光システムの配光制御部材１００を壁面に収納した状態を示す斜視図、図８は同床面発光システムの配光制御部材１００を展開した状態を示す斜視図、図９は、同側面図である。
本実施の形態の床面発光システムは、作業面の明るさを増大するための構成である。配光制御部材が２分割構造をなしている点は前記実施の形態２と同様であるが、本実施の形態では、壁面の一部を２段階で室内側に開く構造とし、光の反射方向を制御するものである。ここで配光制御部材の反射面は、第１および第２の反射面で構成され、前記第１の反射面が、前記壁面１Ｗに設けられた軸Ｏ１に対して回動可能であり、第１および第２の反射面は軸Ｏ１に平行な第２の軸Ｏ２で固定され、この第２の軸Ｏ２に対して回動可能である。
【００３４】
すなわち、配光制御部材１００が、壁面に床面２０２に平行に取り付けられた第１の軸Ｏ１に対して、開閉可能であり、さらにこの第１の軸Ｏ１に相対向する辺上に設けられた第２の軸Ｏ２に対して開閉な配光体部１０１を具備し、実施の形態１の場合のほぼ２倍の反射面を有し、作業面３００Ｓへの反射光量を増大するようにしたものである。
このときも、配光制御部材１００は、壁面の一部を構成するように埋め込み形成されており、配光制御部材１００、配光体部１０１ともに開き角を独立制御可能である。配光制御部材１００、配光体部１０１いずれも、面状発光装置２００の発光面２０１からの光を床面２０２に向けて反射することによって、作業面３００Ｓである机３００の上面を照射する。
【００３５】
机３００の上の作業面３００Ｓに向けて光照射を行ないたい時は、図８および９に示すように配光制御部材１００、配光体部１０１を開き、反射面１００Ｓ、１０１Ｓをそれぞれ所望の角度まで開き、図示しない止具で止めて固定する。これにより、面状発光装置２００からの光Ｌ０は配光制御部材１００、配光体部１０１の反射面１００Ｓ、１０１Ｓによってそれぞれ全反射され、反射光Ｌ１が机３００の上の作業面３００Ｓを照射する。
机の位置に応じて、図示しないリモートコントローラを用いてこの配光制御部材の反射面の開き角を調整することで、反射光Ｌ１の方向を調整し、作業面３００Ｓに効率よく光照射がなされるように構成される。
【００３６】
上記構成によれば配光制御部材（壁面の一部）が床面方向に２段階で展開し、面状発光装置（床面）からの光を床面に向けて反射することによって、作業面を照射する。
なおここで、２段階で展開することで、反射面は配光制御部材の内側面に形成しておくことができこれにより、収納時は壁面と同じ色にすることもできる。また反射面が常に露出した構造ではないため、汚れが防止され、メンテナンスの回数が少なくてすむ。
このようにして、配光制御部材１００によって、面状発光装置２００からの光をより効率よく机面および床面２０２に向けて反射できるので、机面および床面２０２上で視作業する際のモノの視認性を上げることができる。
【００３７】
床面と床面に設けられる面状発光装置とを有する床面発光システムは、配光制御部材によって、面状発光装置からの光を床面に向けて反射できるが、作業面の明るさが足りない場合がある。
本実施の形態では、配光制御部材が２段階以上で床面方向に展開、光反射面を２方向以上の異なる方向に設定し、これらの面が面状発光装置（床面）からの光を床面に向けて反射することによって、より多くの光が作業面に照射されるように制御する。
【００３８】
この構成により、２方向以上の異なる方向に設定された配光制御部材の光反射面によって、面状発光装置からの光を作業面により多く照射することができ、視作業する際のモノの視認性をさらに上げることができる。
【００３９】
（実施の形態４）
図１０乃至１２は本発明の実施の形態４に係る床面発光システムの説明図である。図１０は、床面発光システムの配光制御部材１００を、床面に臨む面としての壁面１Ｗに収納した状態を示す斜視図、図１１は同床面発光システムの配光制御部材１００を展開した状態を示す斜視図、図１２は、同側面図である。
本実施の形態の床面発光システムは、作業面の明るさを増大するための構成である。配光制御部材が壁面の一部を２段階で室内側に開く構造としている点は前記実施の形態３と同様であるが、本実施の形態では、壁面の一部を第１の軸Ｏ１で室内側に開き、その開いた状態でさらに前記第１の軸に垂直な第３および第４の軸Ｏ３，Ｏ４で開く構造とし、光の反射方向を制御するものである。この前記配光制御部材の反射面は、第１および第３、４の反射面１００Ｓ，１０１ａＳ、１０１ｂＳで構成され、前記第１および第３、４の反射面が、前記壁面に設けられた前記軸に対して回動可能であり、前記第１および第３、４の反射面は前記軸に垂直な第３および第４の軸で固定され、前記第３および第４の反射面は前記第３および第４の軸Ｏ３，Ｏ４に対して回動可能である。
【００４０】
すなわち、配光制御部材１００が、壁面に床面２０２に平行に取り付けられた第１の軸Ｏ１に対して、開閉可能であり、さらにこの第１の軸Ｏ１に垂直な第３および第４の軸Ｏ３，Ｏ４に対して開閉可能な配光片１０２ａ、１０２ｂを具備し、実施の形態１の場合のほぼ２倍の反射面を有し、作業面３００Ｓへの反射光量を増大するようにしたものである。
このときも、配光制御部材１００は、壁面の一部を構成するように埋め込み形成されており、配光制御部材１００、配光片１０２ａ、１０２ｂともに開き角を独立制御可能である。配光制御部材１００、配光片１０２ａ、１０２ｂいずれも、面状発光装置２００の発光面２０１からの光を床面２０２に向けて反射することによって、作業面３００Ｓである机３００の上面を照射する。
【００４１】
机３００の上の作業面３００Ｓに向けて光照射を行ないたい時は、図１１および１２に示すように配光制御部材１００、配光片１０２ａ、１０２ｂを開き、前記第１および第３、４の反射面１００Ｓ、１０２ａＳ、１０２ｂＳをそれぞれ所望の角度まで開き、図示しない止具で止めて固定する。これにより、面状発光装置２００からの光Ｌ０は配光制御部材１００の反射面１００Ｓおよび配光片１０２ａ、１０２ｂの反射面１０１ａＳ、１０１ｂＳによってそれぞれ全反射され、反射光Ｌ１が机３００の上の作業面３００Ｓを照射する。
机の位置に応じて、図示しないリモートコントローラを用いてこの配光制御部材の反射面の開き角を調整することで、反射光Ｌ１の方向を調整し、作業面３００Ｓに効率よく光照射がなされるように構成される。
【００４２】
上記構成によれば配光制御部材（壁面の一部）が床面方向に２段階で展開し、面状発光装置（床面）からの光を床面に向けて反射することによって、作業面を照射する。
【００４３】
なお、本実施の形態では、第３および第４の反射面は第１の反射面に対して観音開きで展開可能であり、ここでも実施の形態３と同様、２段階で展開することで、反射面は配光制御部材の内側面に形成しておくことができこれにより、収納時は壁面と同じ色にすることもできる。また反射面が常に露出した構造ではないため、汚れが防止され、メンテナンスの回数が少なくてすむ。
このようにして、配光制御部材１００によって、面状発光装置２００からの光をより効率よく机面および床面２０２に向けて反射できるので、机面および床面２０２上で視作業する際のモノの視認性を上げることができる。
【００４４】
床面と床面に設けられる面状発光装置とを有する床面発光システムは、配光制御部材によって、面状発光装置からの光を床面に向けて反射できるが、作業面の明るさが足りない場合がある。
本実施の形態では、配光制御部材が２段階以上で床面方向に展開、光反射面を２方向以上の異なる方向に設定し、これらの面が面状発光装置（床面）からの光を床面に向けて反射することによって、より多くの光が作業面に照射されるように制御する。
【００４５】
この構成により、２方向以上の異なる方向に設定された配光制御部材の光反射面によって、面状発光装置からの光を作業面により多く照射することができ、視作業する際のモノの視認性をさらに上げることができる。
【００４６】
（実施の形態５）
図１３乃至１５は、本発明の実施の形態５に係る床面発光システムの説明図である。図１３は、床面発光システムの配光制御部材１００を、床面に臨む面としての壁面１Ｗに収納した状態を示す斜視図、図１４は同床面発光システムの配光制御部材１００を展開した状態を示す斜視図、図１５は、同側面図である。
本実施の形態の床面発光システムは、配光制御部材１００を短冊状に分割し複数の反射面で構成された配光制御片１００ｎで構成されている。各反射面が、前記壁面に設けられたそれぞれ別の軸に対して回動可能であり、前記各反射面は互いに平行な各軸に対して回動可能である。
【００４７】
この床面発光システムは、この各配光制御片１００ｎがそれぞれ独立して軸Ｏｎに対して回動可能なように構成し、多方向のやわらかい光を得るための構成である。つまり前記実施の形態１の配光制御部材を構成する配光制御片が短冊状に分割形成された構造としている点で前記実施の形態１と異なるが、他は前記実施の形態１と同様である。本実施の形態では、壁面の一部を短冊状に分割し各配光制御片１００ｎがそれぞれ独立して各軸Ｏｎで室内側に開き、光の反射方向を制御するようにしたものである。なお、ここでは、壁面１Ｗ方向への光量を増大するために、図１５に示すように床面発光装置２００の内部に光方向制御パネル２０３を設け、作業時には床面発光装置２００の発光面２０１から出射する光の方向を制御可能に構成されている。
【００４８】
すなわち、配光制御片１００ｎが、壁面に床面２０２に平行に取り付けられた各軸Ｏｎに対して、開閉可能であり、多方向の光を、作業面３００Ｓに向けて反射し、結果として作業面３００Ｓへの反射光量を増大するようにしている。
【００４９】
このときも、配光制御部材１００は、壁面の一部を構成するように埋め込み形成されており、各配光制御片１００ｎともに開き角を独立制御可能である。配光制御片１００ｎにより、面状発光装置２００の発光面２０１からの光を床面２０２に向けて反射することによって、作業面３００Ｓである机３００の上面を照射する。
机３００の上の作業面３００Ｓに向けて光照射を行ないたい時は、図１４および１５に示すように配光制御片１００ｎを開き、反射面１００ｎＳをそれぞれ所望の角度まで開き、図示しない止具で止めて固定する。これにより、面状発光装置２００からの光Ｌ０は配光制御片１００ｎによってそれぞれ全反射され、反射光Ｌ１が机３００の上の作業面３００Ｓを照射する。
【００５０】
本実施の形態においても、机の位置に応じて、図示しないリモートコントローラを用いてこの配光制御部材の反射面の開き角を調整することで、反射光Ｌ１の方向を調整し、作業面３００Ｓに効率よく光照射がなされるように構成される。
【００５１】
このようにして、複数の配光制御部片１００ｎによって、面状発光装置２００からの光をより効率よく机面および床面２０２に向けて反射できるので、机面および床面２０２上で視作業する際のモノの視認性を上げることができる。
【００５２】
この構成により、２方向以上の異なる方向に設定された配光制御部材の光反射面によって、面状発光装置からの光を作業面により多く効率よく照射することができ、視作業する際のモノの視認性をさらに上げることができる。
また、２方向以上の異なる方向に設定された配光制御部材の光反射面によって、面状発光装置からの光を作業面により多く照射することができ、視作業する際のモノの視認性をさらに上げることができる。
【００５３】
（実施の形態６）
図１６乃至１９は本発明の実施の形態６に係る床面発光システムの説明図である。
本実施の形態の床面発光システムでは、配光制御部材として折りたたみ式の浮遊型光反射部５００を用いて、反射光を作業面３００Ｓに導く構造である。ここで、図１６はこの床面発光システムで用いられる浮遊型光反射部５００を示す図であり、（ａ）は斜視図、（ｂ）は側面図である。本実施の形態では、既築物件に対しても装着可能な構造を提供する。
【００５４】
この折りたたみ式浮遊型光反射部は、壁面１Ｗから伸長可能に設けられ、それぞれ係止部５０１を有する２つの位置決め部材５０２と、この位置決め部材５０２に係止される浮遊体５０３とで構成されている。この浮遊体５０３はヘリウム、水素などのガスを入れて浮遊可能に形成され、表面が光反射体で形成されたものであり、ガスを入れることで所望の大きさに膨らませ、位置決め部材５０２で天井面１Ｕ近傍の所定の位置に浮遊するように構成されている。
【００５５】
図１７は、床面発光システムの浮遊型光反射部５００の位置決め部材５０２を、床面２０２に臨む面としての壁面１Ｗに収納した状態を示す斜視図、図１８は同床面発光システムの浮遊型光反射部５００を展開した状態を示す斜視図、図１９は、同側面図である。
本実施の形態の床面発光システムは、配光制御部材として浮遊型光反射体(浮遊体)５０３を用いた点で前記実施の形態１乃至５とは異なるが、これらと同様に、床面上の視作業を行なう際に、作業面３００Ｓに向けて反射し、結果として作業面３００Ｓへの反射光量を増大するようにしたものである。
【００５６】
机３００の上の作業面３００Ｓに向けて光照射を行ないたい時は、図１８および１９に示すように浮遊型光反射部５００を展開し、ガスを入れることで所望の大きさに膨らませた浮遊体５０３の凸部Ｔを、係止部５０１で止めて固定する。これにより、面状発光装置２００からの光Ｌ０は浮遊型光反射部５００によってそれぞれ全反射され、反射光Ｌ１が机３００の上の作業面３００Ｓを照射する。なお、係止部５０１のみを壁に取り付けておくことで、浮遊型光反射部５００の着脱は自在である。
【００５７】
本実施の形態においても、机の位置に応じて、浮遊型光反射部５００の浮遊体５０３のガスの充填具合を調整することで、反射光Ｌ１の方向を調整し、作業面３００Ｓに効率よく光照射がなされるように構成される。
【００５８】
このように、本実施の形態では、配光制御部材としての浮遊型光反射体を、面状発光装置（床面）上部に配置し、配光制御部材として浮遊型光反射体の床面に臨む面が、面状発光装置（床面）からの光を床面に向けて反射することによって、作業面を照射する。
【００５９】
この構成によれば、配光制御部材（浮遊型光反射体）によって、面状発光装置からの光を床面に向けて反射できるので、床面上で視作業する際のモノの視認性を上げることができる。
また、別体の照明を設けなくとも反射光により作業面を照明することができるので、簡便であり、空間が煩雑にならない。また、面状発光装置からの光のみを有効活用できるので電気エネルギーアップにならずにすむ。
さらにまた、配光制御部材（浮遊型光反射体）を使用しない時は、気体を抜くことによって小さく畳むことができ、収納しやすく邪魔にならない。
【００６０】
（実施の形態７）
図２０乃至２２は、本発明の実施の形態７に係る床面発光システムの説明図である。本実施の形態では、配光制御のために、床面を臨む面として天井面１Ｕを用いるべく、光る床を構成する床面２０２を含む面状発光装置２００を昇降させる昇降装置６００を設けたことを特徴とするものである。図２０は、床面発光システムの通常照明時を示す図、図２１は同床面発光システムにおいて天井面１Ｕに当たった光が作業面に届くように面状発光装置２００を上昇させた状態を示す斜視図、図２２は、同側面図である。
本実施の形態の床面発光システムは、配光制御部材として反射部材を設けるのではなく、床面の昇降装置６００を設けたもので、配光制御部材は、天井面と、前記面状光源を前記天井面に対して昇降制御する昇降部とを具備したことを特徴とする。昇降装置６００は、面状発光装置２００を伸縮可能な脚部６０１を具備し図示しない動力部によってこの脚部６０１が昇降する構成である。
【００６１】
すなわち、机３００の上の作業面３００Ｓに向けて光照射を行ないたい時は、図２１および２２に示すように面状発光装置２００を上昇させ、面状発光装置２００からの光Ｌ０は添乗面１Ｕによって全反射され、反射光Ｌ１が机３００の上の作業面３００Ｓを照射する。
本実施の形態においても、机の位置に応じて、図示しないリモートコントローラを用いて昇降装置６００の昇降量を調整することで、反射光Ｌ１の方向を調整し、作業面３００Ｓに効率よく光照射がなされるように構成される。
【００６２】
このようにして、図２２に示すように、床面２０２が２０２−１の位置から天井面１Ｕの方向に上昇し、２０２−２の位置まで到達し、天井面（床面に臨む面）が、面状発光装置（床面）２００からの光を床面に向けて反射することによって、作業面３００Ｓを照射する
天井面（床面に臨む面）１Ｕによって、面状発光装置からの光を床面に向けて反射できるので、床面上で視作業する際のモノの視認性を上げることができる。
また、前記実施の形態１乃至６と同様、本実施の形態の床面発光システムにおいても、別体の照明を設けなくとも反射光により作業面を照明することができるので、簡便であり、空間が煩雑にならない。また、面状発光装置からの光のみを有効活用できるので省エネルギー化をはかることができる。
なお、前記実施の形態において、反射面は平面鏡を用いているが、凹面鏡あるいは他の光学系を用いて集光するようにしてもよい。
【図面の簡単な説明】
【００６３】
【図１】本発明の実施の形態１に係る床面発光システムの配光制御部材収納時の状態を示す斜視図
【図２】本発明の実施の形態１に係る床面発光システムの配光制御部材展開時の状態を示す斜視図
【図３】本発明の実施の形態１に係る床面発光システムの配光制御部材展開時の状態を示す側面図
【図４】本発明の実施の形態２に係る床面発光システムの配光制御部材収納時の状態を示す斜視図
【図５】本発明の実施の形態２に係る床面発光システムの配光制御部材展開時の状態を示す斜視図
【図６】本発明の実施の形態２に係る床面発光システムの配光制御部材展開時の状態を示す側面図
【図７】本発明の実施の形態３に係る床面発光システムの配光制御部材収納時の状態を示す斜視図
【図８】本発明の実施の形態３に係る床面発光システムの配光制御部材展開時の状態を示す斜視図
【図９】本発明の実施の形態３に係る床面発光システムの配光制御部材展開時の状態を示す側面図
【図１０】本発明の実施の形態４に係る床面発光システムの配光制御部材収納時の状態を示す斜視図
【図１１】本発明の実施の形態４に係る床面発光システムの配光制御部材展開時の状態を示す斜視図
【図１２】本発明の実施の形態４に係る床面発光システムの配光制御部材展開時の状態を示す側面図
【図１３】本発明の実施の形態５に係る床面発光システムの配光制御部材収納時の状態を示す斜視図
【図１４】本発明の実施の形態５に係る床面発光システムの配光制御部材展開時の状態を示す斜視図
【図１５】本発明の実施の形態５に係る床面発光システムの配光制御部材展開時の状態を示す側面図
【図１６】本発明の実施の形態６に係る床面発光システムの配光制御部材を示す説明図
【図１７】本発明の実施の形態６に係る床面発光システムの配光制御部材収納時の状態を示す斜視図
【図１８】本発明の実施の形態６に係る床面発光システムの配光制御部材展開時の状態を示す斜視図
【図１９】本発明の実施の形態６に係る床面発光システムの配光制御部材展開時の状態を示す側面図
【図２０】本発明の実施の形態７に係る床面発光システムの配光制御部材収納時の状態を示す斜視図
【図２１】本発明の実施の形態７に係る床面発光システムの配光制御部材展開時の状態を示す斜視図
【図２２】本発明の実施の形態７に係る床面発光システムの配光制御部材展開時の状態を示す側面図
【符号の説明】
【００６４】
１００  配光制御部材
２００  面状発光装置
２０１  発光面
２０２  床面
３００Ｓ  作業面
３００  机
５００  浮遊型光反射部（配光制御部材）
５０１  係止部
５０２  位置決め部材
５０３  浮遊体
６００  昇降装置
１Ｗ  壁面
１Ｕ  天井面
【図１】
2010073397.tif 000003
【図２】
2010073397.tif 000004
【図３】
2010073397.tif 000005
【図４】
2010073397.tif 000006
【図５】
2010073397.tif 000007
【図６】
2010073397.tif 000008
【図７】
2010073397.tif 000009
【図８】
2010073397.tif 000010
【図９】
2010073397.tif 000011
【図１０】
2010073397.tif 000012
【図１１】
2010073397.tif 000013
【図１２】
2010073397.tif 000014
【図１３】
2010073397.tif 000015
【図１４】
2010073397.tif 000016
【図１５】
2010073397.tif 000017
【図１６】
2010073397.tif 000018
【図１７】
2010073397.tif 000019
【図１８】
2010073397.tif 000020
【図１９】
2010073397.tif 000021
【図２０】
2010073397.tif 000022
【図２１】
2010073397.tif 000023
【図２２】
2010073397.tif 000024